(57)【要約】      （修正有）【課題】家庭用の小物や、多数個の鍵などの小形の物品を整理し保管するのに好適で、しかも写真や絵を表示して興趣を醸すことができ、さらに全体コストを削減して日用品として手軽に使用することができるハンガーネットを提供する。【解決手段】横桟９および縦桟１０とカード収納部６を備える本体部１と、多数個の吊掛体３とを備えている。本体部１は、周囲枠５と、該周囲枠５の内部に設けられるカード収納部６と、周囲枠５とカード収納部６との間に形成される横桟９および縦桟１０とを備えている。カード収納部６は、ガイド枠１８と、該ガイド枠１８の後面に連続するカード支持壁１９と、カードと共にガイド枠１８に装着される保護カバー２０とで構成する。周囲枠５と、カード収納部６のガイド枠１８およびカード支持壁１９と、横桟９および縦桟１０とを射出成形法で一体成形して、ハンガーネットの全体コストを削減する。【選択図】図１
0003171121.tif 000002
【実用新案登録請求の範囲】
【請求項１】
横桟（９）および縦桟（１０）とカード収納部（６）を備えている本体部（１）と、上下に隣接する横桟（９・９）に弾性係合される多数個の吊掛体（３）とを備えており、
本体部（１）は、その周囲に沿って設けられてフレームとして機能する周囲枠（５）と、周囲枠（５）の内部に設けられるカード収納部（６）と、周囲枠（５）とカード収納部（６）との間に形成される横桟（９）および縦桟（１０）とを備えており、
カード収納部（６）が、周囲枠（５）に連続して形成されるガイド枠（１８）と、ガイド枠（１８）の後面に連続して形成されて、カード収納部（６）に装着したカード（Ｃ）の背面を支持するカード支持壁（１９）と、カード（Ｃ）と共にガイド枠（１８）に装着される透明の保護カバー（２０）とで構成されており、
周囲枠（５）と、カード収納部（６）のガイド枠（１８）およびカード支持壁（１９）と、横桟（９）および縦桟（１０）とが、射出成形法で一体成形してあることを特徴とするハンガーネット。
【請求項２】
カード収納部（６）のガイド枠（１８）の内縁の複数個所に、カード（Ｃ）および保護カバー（２０）の装填状態を保持する規制片（２１）が内向きに張出されており、
カード収納部（６）に装填したカード（Ｃ）および保護カバー（２０）の左右側縁および下縁がガイド枠（１８）で受止められて、規制片（２１）とカード支持壁（１９）とで前後に挟み保持されている請求項１に記載のハンガーネット。
【請求項３】
周囲枠（５）が、首部（１３）と、首部（１３）の左右に連続して形成される左右一対の腕部（１４）と、両腕部（１４）に連続する胴部（１５）とでシャツの外形を模して形成されており、
カード収納部（６）が首部（１３）の下方に位置する状態で配置されて、首部（１３）とカード収納部（６）との間にカード（Ｃ）および保護カバー（２０）を出入れする装填空間（２３）が確保されており、
カード収納部（６）の下方にネクタイを模した上下に長い中央吊掛部（７）が設けられており、
中央吊掛部（７）の左右に、ポケットを模したＵ字状の操作空間（８）が形成してあり、
カード収納部（６）と、中央吊掛部（７）と、操作空間（８）を除く周囲枠（５）の内部に横桟（９）と縦桟（１０）とが形成してある請求項１または２に記載のハンガーネット。
【請求項４】
横桟（９）と縦桟（１０）とで区分される格子空間が、２個の吊掛体（３）を横桟（９）に弾性係合できる大サイズの格子空間（３１）と、１個の吊掛体（３）のみを横桟（９）に弾性係合できる小サイズの格子空間（３２）とで構成されており、
中央吊掛部（７）の内部に、１個の吊掛体（３）のみを弾性係合できる逆台形状の斜横桟（２８）が多段状に形成してある請求項３に記載のハンガーネット。
【請求項５】
吊掛体（３）が、上下に隣接する横桟（９）の上側の横桟（９）に掛止されるフック部（３５）と、下側の横桟（９）に圧嵌係合される弾性係合部（３６）と、これら両者（３５・３６）を繋ぐ主壁（３７）と、主壁（３７）の外面に突設されるフック爪（３８）とを一体に備えたプラスチック成形品で形成してある請求項１から４のいずれかひとつに記載のハンガーネット。
【考案の詳細な説明】
【技術分野】
【０００１】
本考案は、格子状の吊掛部を備えているハンガーネットに関する。ハンガーネットは、例えば家庭用の小物、あるいは多数個の鍵などを一個所にまとめて保管するために使用する。
【背景技術】
【０００２】
本考案のハンガーネットに関して、衣服用のハンガーの肩アームの中央上部に円形の収納凹部を設け、この収納凹部に写真を収容することが特許文献１に開示されている。円形の収納部の上部には、ハンガー全体を吊下げるためのフックが設けてある。同様のハンガーは特許文献２にも開示されている。
【０００３】
特許文献３の衣服用のハンガーにおいては、ハンガー枠を構成する肩アームの中央前面に、四角形の写真収納部を設け、この写真収納部に写真を上端の挿入口から出入れできるようにしている。
【０００４】
本考案のハンガーネットにおいては、交差配置される横桟と縦桟とで吊掛部を格子状に形成し、上下に隣接する横桟を利用して吊掛フックを弾性係合するが、この種のハンガーネットは特許文献４に公知である。そこでは、格子状に組まれたハンガーネットの横桟にデスプレイ用ハンガーを弾性係合し、デスプレイ用ハンガーの表面部に固定した掛止アームに多数個の商品を掛止し陳列している。
【先行技術文献】
【特許文献】
【０００５】
【特許文献１】実開昭６２−６３０７４号公報（実用新案登録請求の範囲、第１図）
【特許文献２】実開昭６３−５４３８１号公報（実用新案登録請求の範囲、第１図）
【特許文献３】特開平１１−０９４２１号公報（特許請求の範囲、図３）
【特許文献４】実開平０１−８９０６２号公報（実用新案登録請求の範囲、第２図）
【考案の概要】
【考案が解決しようとする課題】
【０００６】
特許文献１〜３の衣服用ハンガーによれば、ハンガー枠の中央部に設けた収納部に写真や絵を収納できるので、写真や絵を見ることでハンガーの使用者を識別できる。また、個人の好みに応じて収納すべき写真や絵を選択することができる。
【０００７】
本考案者は、ハンガーネットを利用して、家庭用の小物や、多数個の鍵などを一個所にまとめて整理し保管することを考えた。さらに、先のように絵や写真を収納できる収納部をハンガーネットに付加して、無機質になりがちなハンガーネットの興趣を向上することを考えた。しかし、市販のハンガーネットの多くは鋼線を格子に組んで構成してあるので、収納部を付加する場合には、例えばプラスチック成形品からなる収納構造を別途用意する必要があるためコストが嵩む。
【０００８】
また、業務用に多用されるハンガーネットは格子間隔が大きいため、家庭用の小物や、多数個の鍵などの小形の物品を整理し保管するのには不向きであることを確認した。ハンガーネットに装着した吊掛フックに小物類を掛止した状態において、小物類の隣接間隔がいたずらに大きくなり、ハンガーネットの面積の大半をデッドスペースが占めてしまうからである。格子間隔が小さなハンガーネットを特注すればよいが、そうするとコストが嵩み、ハンガーネットの全体コストがさらに高くなり、日用品として手軽に使用できなくなる。既成のハンガーネットは、横桟および縦桟を単純に格子状に組んで四角枠状に構成しただけであるので面白みに欠け、無機質で室内の雰囲気に調和させるのが難しい。ハンガーネットに係合装着される吊掛フックの配置パターンが画一的になりやすく、工夫の余地が殆どない不利もある。
【０００９】
本考案の目的は、家庭用の小物や、多数個の鍵などの小形の物品を整理し保管するのに好適で、しかも写真や絵を表示して興趣を醸すことができ、さらに全体コストを削減して日用品として手軽に使用することができるハンガーネットを提供することにある。
【課題を解決するための手段】
【００１０】
本考案に係るハンガーネットは、横桟９および縦桟１０とカード収納部６を備える本体部１と、上下に隣接する横桟９・９に弾性係合される多数個の吊掛体３とを備えている。本体部１は、その周囲に沿って設けられてフレームとして機能する周囲枠５と、周囲枠５の内部に設けられるカード収納部６と、周囲枠５とカード収納部６との間に形成される横桟９および縦桟１０とを備えている。カード収納部６は、周囲枠５に連続して形成されるガイド枠１８と、ガイド枠１８の後面に連続して形成されて、カード収納部６に装着したカードＣの背面を支持するカード支持壁１９と、カードＣと共にガイド枠１８に装着される透明の保護カバー２０とで構成する。以上のように構成したハンガーネットにおいて、周囲枠５と、カード収納部６のガイド枠１８およびカード支持壁１９と、横桟９および縦桟１０とを、射出成形法で一体成形してあることを特徴とする。
【００１１】
カード収納部６のガイド枠１８の内縁の複数個所に、カードＣおよび保護カバー２０の装填状態を保持する規制片２１を内向きに張出す。カード収納部６に装填したカードＣおよび保護カバー２０の左右側縁および下縁をガイド枠１８で受止め、規制片２１とカード支持壁１９とで前後に挟み保持する。
【００１２】
周囲枠５は、首部１３と、首部１３の左右に連続して形成される左右一対の腕部１４と、両腕部１４に連続する胴部１５とでシャツの外形を模して形成する。カード収納部６は首部１３の下方に位置する状態で配置されて、首部１３とカード収納部６との間にカードＣおよび保護カバー２０を出入れする装填空間２３が確保してある。カード収納部６の下方にネクタイを模した上下に長い中央吊掛部７を設ける。中央吊掛部７の左右に、ポケットを模したＵ字状の操作空間８が形成してあり、カード収納部６と、中央吊掛部７と、操作空間８を除く周囲枠５の内部に横桟９と縦桟１０とを形成する。
【００１３】
横桟９と縦桟１０とで区分される格子空間を、２個の吊掛体３を横桟９に弾性係合できる大サイズの格子空間３１と、１個の吊掛体３のみを横桟９に弾性係合できる小サイズの格子空間３２とで構成する。中央吊掛部７の内部に、１個の吊掛体３のみを弾性係合できる逆台形状の斜横桟２８を多段状に形成する。
【００１４】
吊掛体３は、上下に隣接する横桟９の上側の横桟９に掛止されるフック部３５と、下側の横桟９に圧嵌係合される弾性係合部３６と、これら両者３５・３６を繋ぐ主壁３７と、主壁３７の外面に突設されるフック爪３８とを一体に備えたプラスチック成形品で形成する。
【考案の効果】
【００１５】
本考案においては、フレームとして機能する周囲枠５と、周囲枠５の内部に設けられるカード収納部６と、これら両者５・６との間に形成される横桟９および縦桟１０などで本体部１を構成した。また、周囲枠５と、カード収納部６のガイド枠１８、およびカード支持壁１９と、横桟９および縦桟１０とを射出成形法で一体成形するようにした。このように、横桟９と縦桟１０とが交差する格子構造とカード収納部６とを射出成形法で一体に成形すると、写真や絵を収納するためのカード収納部６を備えたハンガーネットをより少ないコストで製造でき、コストが少なくて済む分だけ、日用品として手軽に使用可能なハンガーネットを提供できる。また、横桟９と縦桟１０とが交差する格子状の吊掛部を成形によって形成するので、横桟９および縦桟１０の隣接ピッチを、収納対象の大きさに応じて小さく設定することができる。従って、家庭用の小物や多数個の鍵などの小形の物品を整理し保管するのに好適で、しかも写真や絵をカード収納部６に表示して興趣を醸すことができるハンガーネットを提供できる。
【００１６】
カード収納部６に装填したカードＣおよび保護カバー２０の周縁をガイド枠１８で受止め、さらに規制片２１とカード支持壁１９とで前後に挟み保持すると、カードＣおよび保護カバー２０を確実に固定保持して、カード収納部６から抜出すのを防止できる。また、カード支持壁１９およびガイド枠１８に沿って上下スライドさせるだけで、カードＣおよび保護カバー２０をカード収納部６に着脱し、装着状態を保持できるので、カードＣの交換を速やかに行える。さらに、カード支持壁１９および規制片２１は、ハンガーネットを射出成形する際に同時に成形することができるので、カード支持壁１９および規制片２１を設けることでコストが増加するのを避けて、カード収納部６を備えたハンガーネットを安価に提供できる。
【００１７】
首部１３と左右の腕部１４と胴部１５とで、周囲枠５をシャツの外形を模して形成し、首部１３と、その下方に配置したカード収納部６との間にカードＣ用の装填空間２３を確保すると、カードＣおよび保護カバー２０の出入れ操作を装填空間２３から容易に行える。詳しくは、カードＣおよび保護カバー２０の装填始端縁（下縁）を装填空間２３の前面側からカード支持壁１９にあてがい、同支持壁１９に沿ってカードＣおよび保護カバー２０をスライドさせてカード収納部６に装填できる。もちろん、カードＣおよび保護カバー２０を個別に装填することもできる。このように、カードＣおよび保護カバー２０を装填空間２３から出入れすると、周囲枠５の首部１３に出入口を形成する必要がないので、その分だけ周囲枠５の構造を単純化できるうえ、フレームとして機能する周囲枠５の強度が出入口を設けることで低下するのを解消できる。シャツの外形を模して形成した周囲枠５には、子供用のサイズのシャツを掛けて一時的にハンガーとして使用することもできる。
【００１８】
ネクタイを模した中央吊掛部７は、大きな曲げモーメントが作用しやすい、本体部１の中央近傍の構造強度を増強することに役立っており、これにより、吊掛体３を係脱するときに横桟９あるいは縦桟１０に大きな曲げモーメントが作用して破損するのをよく防止できる。中央吊掛部７の左右に設けたＵ字状の操作空間８は、中央吊掛部７、あるいは中央吊掛部７と操作空間８との間に設けた小サイズの格子空間３２に装着した吊掛体３を取外し操作を円滑化することに役立つ。横桟９に係合した吊掛体３は、本体部１の裏側から乗越え突起４０を前側へ押し出すことで簡単に外すことができるが、中央吊掛部７あるいは小サイズの格子空間３２に装着した吊掛体３には、周囲枠５の側から手指が届きにくく、そうした場合に操作空間８から手指を差込むことで、吊掛体３を簡便に取外すことができるからである。
【００１９】
横桟９と縦桟１０とで区分される格子空間を、大サイズの格子空間３１と、小サイズの格子空間３２とで構成し、さらに中央吊掛部７に斜横桟２８を多段状に形成すると、吊掛体３の格子部への装着パターンをより自由に設定することができる。また、大サイズの格子空間３１には２個の吊掛体３を、小サイズの格子空間３２および中央吊掛部７には１個の吊掛体３を装着できるので、吊掛体３の装着パターンをさらに複雑に変化できる。従って、横桟および縦桟を単に格子状に組んだだけの従来のハンガーネットに比べて、格子部に対する吊掛体３の装着パターンを、使用者の感性で多様に変更して、ハンガーネットを使用するときの面白みをさらに向上することができる。小サイズの格子空間３２を区分する横桟９は、ガイド枠１８と縦桟１０、あるいは周囲枠５および縦枠２７とＵ字枠３０とを短い距離で繋いで、上記の各部材９・１０・１８・５・２７・３０は互いに補強しあう補強構造としても機能できる。
【００２０】
フック部３５と、弾性係合部３６と、これら両者３５・３６を繋ぐ主壁３７と、主壁３７の外面に突設されるフック爪３８とを一体に成形したプラスチック製の吊掛体３によれば、フック部３５と弾性係合部３６を上下の横桟９に係合して装着状態を強固に維持できる。従って、本体部１に外部の振動が作用し、あるいは他物が衝突するなど、大きな外力が作用するような場合であっても、弾性係合部３６の係合力によって装着状態を保持し続けて、小物や鍵がフック爪３８から脱落するのをよく防止できる。吊掛体３を射出成形で形成するので、吊掛体３の１個当たりの単価を減少でき、従って、１個のハンガーネットと多数個の吊掛体３をセットにして販売する場合であっても、全体コストが高くなるのを防止できる。
【図面の簡単な説明】
【００２１】
【図１】本考案に係るハンガーネットの正面図である。
【図２】本考案に係るハンガーネットの分解正面図である。
【図３】図１におけるＡ−Ａ線断面図である。
【図４】図２におけるＢ−Ｂ線断面図である。
【考案を実施するための形態】
【００２２】
（実施例）  図１ないし図４は本考案に係るハンガーネットの実施例を示す。図１においてハンガーネットは、本体部１と、本体部１の上部中央に組付けられる吊掛フック２と、１０個の吊掛体３などで構成する。本体部１は、フレームとして機能する周囲枠５と、周囲枠５の内部に設けられるカード収納部６と、カード収納部６の下方に設けられる中央吊掛部７と、中央吊掛部７の左右に設けた操作空間８と、横桟９および縦桟１０などで構成する。上下に隣接する横桟９に先の吊掛体３を弾性係合することができる。
【００２３】
周囲枠５は、本体部１の上部中央の首部１３と、首部１３の左右に連続して形成される左右一対の腕部１４と、両腕部１４に連続する胴部１５とでシャツの外形を模して形成してある。首部１３の左右中央に一体に形成したボス１６に、吊掛フック２が相対回転自在に連結してあり、この吊掛フック２を壁、柱、あるいはコルクボードなどに固定したＬ字状の吊金具に掛止めることにより、ハンガーネットの全体を吊下げた状態で支持できる。
【００２４】
図２においてカード収納部６は、周囲枠５に連続して形成されるコ字形のガイド枠１８と、ガイド枠１８の後面に連続して形成されるカード支持壁１９と、カードＣと共にガイド枠１８に装着される透明の保護カバー２０などで構成する。ガイド枠１８の内縁の複数個所には規制片２１が内向きに張出されており、これらの規制片２１で、カードＣおよび保護カバー２０の装填状態を保持することができる。具体的には、ガイド枠１８の左右枠の上下２個所と、ガイド枠１８の下枠の左右の隅部寄りの左右２個所に規制片２１を設けて、カードＣおよび保護カバー２０の左右側縁および下縁を規制片２１で受止めている。
【００２５】
図２および図３に示すように、カード支持壁１９は、カード収納部６に装着したカードＣを背面側から支持するために設けてあり、先の規制片２１と協同して、カードＣおよび保護カバー２０の周縁を前後に挟み保持する。カード支持壁１９の左右には３個の開口２２が多段状に形成してあり、先に説明した規制片２１はこれらの開口２２に臨む状態で配置してある。規制片２１を同時に成形するためである。
【００２６】
カード支持壁１９の上縁と、首部１３との間の空間が、カードＣおよび保護カバー２０をカード収納部６に装填するための装填空間２３になっており、カード支持壁１９の上縁とガイド枠１８の左右枠に設けた上側の規制片２１との間が差込み口２４になっている。カード支持壁１９の上部にあてがったカードＣおよび保護カバー２０を、差込み口２４からガイド枠１８の間に差し込むことにより、カードＣおよび保護カバー２０をカード支持壁１９で案内しながら容易に装填できる。カードＣは、写真、あるいは雑誌やグラビア誌から切抜かれた絵、葉書など、使用者の好みに応じて選定する事ができる。保護カバー２０は、弾性変形が可能な透明なプラスチック板で形成してある。
【００２７】
中央吊掛部７はネクタイを模して形成した吊掛枠２６と、その左右両側に設けた縦枠２７とで構成してあり、吊掛枠２６の内部には４個の逆台形状の斜横桟２８が多段状に設けてある（図１参照）。上下に隣接する斜横桟２８には吊掛体３を１個だけ弾性係合できる。吊掛枠２６と縦枠２７とは、ガイド枠１８の下辺部分と最下段の横桟９との間に設けられて、本体部中央の構造補強体として機能している。
【００２８】
操作空間８は、シャツのポケットを模して形成したＵ字状のＵ字枠３０と、Ｕ字枠３０の上端に連続する横桟９とに囲まれており、例えば中央吊掛部７の斜横桟２８に弾性係合した吊掛体３を取外す際に、操作空間８の内部に手指を差込むことができる。
【００２９】
横桟９と縦桟１０は、カード収納部６と、中央吊掛部７と、操作空間８を除く周囲枠５の内部に設けられて格子状の吊掛部を形成している。横桟９と縦桟１０で形成される格子空間を囲む横桟９の上下方向の隣接ピッチは３０ｍｍであり、縦桟１０の左右方向の隣接ピッチは２５ｍｍである。この大サイズの格子空間３１においては、２個の吊掛体３を左右に隣接する状態で横桟９に弾性係合できる。また、カード収納部６の左右両側、および操作空間８の左右両側に形成される幅狭の小サイズの格子空間３２には、１個の吊掛体３のみを横桟９に弾性係合できる。因みに、各吊掛体３の左右幅は９ｍｍである。
【００３０】
吊掛体３は、上側の横桟９に掛止されるフック部３５と、下側の横桟９に圧嵌係合される弾性係合部３６と、これら両者を繋ぐ縦長の主壁３７と、主壁３７の外面の下部に突設されるＬ字状のフック爪３８とを一体に備えたプラスチック成形品からなる。図４に示すように、弾性係合部３６は、横桟９に係合する凹部３９と、凹部３９に連続して部分円弧状に湾曲する乗越え爪４０とで構成してある。上側の横桟９にフック部３５を掛止した状態において、吊掛体３の全体を下向きに揺動させ、横桟９を弾性変形させながら乗越え爪４０が横桟９を乗越えることにより、凹部３９を横桟９に密着係合できる。この状態の吊掛体３は、上下の横桟９・９が互いに近づく向きに弾性変形して上下に引っ張られており、従って吊掛体３が横方向へ遊動することはない。
【００３１】
ハンガーネットを使用するときは、まず、カードＣおよび保護カバー２０をカード収納部６に収納したのち、Ｌ字状の吊金具に吊掛フック２を掛止めて、ハンガーネットの全体を壁、あるいは柱などに吊下げた状態で取付ける。次に、１０個の吊掛体３のうち、必要な個数を上下に隣接する横桟９に係合して、そのフック爪３８を本体部１の前面側へ突出させる。このとき、収納対象の大きさや形に応じて吊掛体３の装着位置を選定することができる。必要な個数の吊掛体３を装着したら、家庭用の小物、あるいは鍵が装着されたキーリングなどの収納対象を、吊掛体３のフック爪３８に吊掛ける。
【００３２】
上記の実施例では、ハンガーネットをシャツを模した外形にしたが、その必要はなく、例えば、寺社あるいは仏閣などの建物を模した外形に形成して土産物とすることができる。また、乗物、あるいは漫画などのキャラクターを模した外形に形成して日用品化してもよい。また、カード収納部６の配置位置は、本体部１の外形形状の変化に応じて、自由に変更することができる。横桟９と縦桟１０の隣接ピッチは、実施例で説明した隣接ピッチである必要はなく、さらに小さな隣接ピッチに設定することができる。また、隣接ピッチが異なる複数種の格子を本体部１に設けておいて、適合する複数種の吊掛体３を横桟９に係合し装着することができる。
【００３３】
吊掛フック２は省略することができ、その場合には首部１３の両端、あるいは腕部１４の両端を、壁や柱などに固定した２個のＬ字状の吊金具に掛止めて使用することができる。また、周囲枠５の２個所以上にビス座とビス穴を一体に設けておいて、本体部１を壁やボードにビスで締結して固定することができる。吊掛体３のフック爪３８は、主壁３７の上下方向の任意の位置に設けることができる。また、フック爪３８は側面視がＬ字状である必要はなく、Ｖ字状や横臥Ｆ字状など、必要に応じて爪形状を自由に変更することができる。
【符号の説明】
【００３４】
１  本体部
３  吊掛体
５  周囲枠
６  カード収納部
７  中央吊掛部
９  横桟
１０  縦桟
１８  ガイド枠
１９  カード支持壁
２０  保護カバー
２１  規制片
２３  装填空間
Ｃ  カード
【図１】
0003171121.tif 000003
【図２】
0003171121.tif 000004
【図３】
0003171121.tif 000005
【図４】
0003171121.tif 000006